(57)【特許請求の範囲】
【請求項１】
一方の端部から他方の端部に向けて下方に傾斜するラック板に商品を収納する複数のスラントラックと、個々のスラントラックにそれぞれ通じて各スラントラックの他方の端部から払い出された商品を収納する複数の取出室とを筐体の内部に備え、前記各取出室に臨む商品取出口を一括して開閉する小扉を、前記筐体の前面開口を覆う外扉に配設し、スラントラックから取出室に払い出された商品を外扉に配設した小扉の開放により商品取出口を通じて取り出すようにした自動販売機であって、
筐体の内部に断熱収容庫を画成し、前記スラントラックを断熱収容庫の内部に配置する一方、前記取出室を断熱収容庫の外部に構成し、且つ断熱収容庫と取出室とを区画する壁に各スラントラックおよび各取出室を連通させるフラッパ付きの複数の払出口を形成し、
さらに、前記取出室に敷設された底板は商品取出口に臨む先端側のストッパ部と、前記払出口よりも前方位置であって前記ストッパ部寄りに位置する折返部とを備え、取出室の奥側から折返部まで商品取出口に向けて下方に傾斜させる一方、前記折返部からストッパ部まで商品取出口に向けて上方に傾斜させるとともにストッパ部の先端縁部を上方に延在させてなることを特徴とする自動販売機。
【発明の詳細な説明】
【技術分野】
【０００１】
本発明は、自動販売機に関するものである。
【背景技術】
【０００２】
自動販売機は、前面が開口する本体キャビネットと、本体キャビネットの開口を閉塞する外扉とを有する筐体を備えている。本体キャビネットの内部には、商品を冷却した状態又は商品を加温した状態で収容する断熱収容庫を設けてある。この断熱収容庫の中には、複数のスラントラックを配設してある。スラントラックは、一方の端部から他方の端部に向けて下方に傾斜するラック板に商品を収納するものである。このようなスラントラックの他方の端部には、商品取出制御部を配設してある。商品取出制御部は、通常、スラントラックの他方の端部から商品が取り出されることを阻止する一方、利用者が自動販売機に貨幣を投入した場合、スラントラックの他方の端部から商品が取り出されることを許容するものである。
【０００３】
外扉には、スラントラックの他方の端部に通じる商品取出口を形成してある。この商品取出口は、筐体の内部と外部とを連通するものであるとともに、断熱収容庫の内部と外部とを連通するものでもある。その外扉には、商品取出口を開閉する小扉を配設してある。小扉には、スラントラックの他方の端部に収容してある商品が見えるようガラス等の透明部材を配設してある。
【０００４】
上記自動販売機に利用者が貨幣を投入すれば、スラントラックの他方の端部から商品が取り出されることが許容された状態となる。このような状態で、利用者が、小扉を開け、断熱収容庫の奥側に手を入れ、スラントラックの他方の端部にある商品を手で掴み、商品を手前側に引き出せば、筐体の外部に商品を取り出すことができる（例えば、特許文献１参照）。
【０００５】
【特許文献１】特開昭４８−２８３００号公報
【発明の開示】
【発明が解決しようとする課題】
【０００６】
ところで、上記自動販売機では、断熱収容庫の内部と断熱収容庫の外部との温度差、換言すれば断熱収容庫の内部と筐体の外部との温度差によって小扉に結露が発生する場合がある。そのように結露が発生すると、小扉を開閉する際、利用者に水滴が付着したり、ガラス窓が曇ることによって商品を視認することが困難になる。
【０００７】
そこで、結露の発生を防止すべく、小扉にヒータを配設したり、複数枚のガラスを使用し、ガラスとガラスとの間に例えば空気等の気体を充填することで小扉を断熱構造に成すことが考えられるが、部品コストが高価となる問題が生じる。さらに、ヒータを配設した場合には、ヒータを使用することによって商品を冷却する際に熱ロスが発生し、ランニングコストが高価となる問題が生じる。
【０００８】
本発明は、上記実情に鑑みて、商品取出口に小扉を設けた場合にも、小扉に結露が発生することを防止することができる自動販売機を提供することにある。
【課題を解決するための手段】
【０００９】
上記の目的を達成するために、本発明は、一方の端部から他方の端部に向けて下方に傾斜するラック板に商品を収納する複数のスラントラックと、個々のスラントラックにそれぞれ通じて各スラントラックの他方の端部から払い出された商品を収納する複数の取出室とを筐体の内部に備え、前記各取出室に臨む商品取出口を一括して開閉する小扉を、前記筐体の前面開口を覆う外扉に配設し、スラントラックから取出室に払い出された商品を外扉に配設した小扉の開放により商品取出口を通じて取り出すようにした自動販売機であって、筐体の内部に断熱収容庫を画成し、前記スラントラックを断熱収容庫の内部に配置する一方、前記取出室を断熱収容庫の外部に構成し、且つ断熱収容庫と取出室とを区画する壁に各スラントラックおよび各取出室を連通させるフラッパ付きの複数の払出口を形成し、さらに、前記取出室に敷設された底板は商品取出口に臨む先端側のストッパ部と、前記払出口よりも前方位置であって前記ストッパ部寄りに位置する折返部とを備え、取出室の奥側から折返部まで商品取出口に向けて下方に傾斜させる一方、前記折返部からストッパ部まで商品取出口に向けて上方に傾斜させるとともにストッパ部の先端縁部を上方に延在させてなることを特徴とする。
【発明の効果】
【００１０】
本発明にかかる自動販売機によれば、スラントラックを断熱収容庫の内部に配置する一方、取出室を断熱収容庫の外部に構成するため、商品取出口に小扉を配設した場合にも、取出室の内部と筐体の外部との間で小扉に結露が発生するような温度差が生じることがない。よって、商品取出口に小扉を配設した場合でも、小扉に結露が発生することを防止することができる。しかも、取出室の底壁上面を商品取出口に向けて下方に傾斜させてあるため、スラントラックの他方の端部から商品が払い出された場合には、重力の作用によって商品が商品取出口に向けて移動することとなる。よって、商品取出口の奥側に手を突っ込んで商品を掴み、商品を引き出す必要がない。従って、商品の取り出しが容易な自動販売機を提供することができる。
【発明を実施するための最良の形態】
【００１１】
以下、添付図面を適宜参照しながら、本発明にかかる自動販売機の好適な実施の形態について詳細に説明する。
【００１２】
図１〜図３は、本発明にかかる自動販売機を示したものである。ここで例示する自動販売機は、特に、ビン入り商品を冷却した状態で販売するのに好適なもので、本体キャビネット１１と外扉１２とを有する筐体１０を備えている。
【００１３】
本体キャビネット１１は、複数の鋼板を組み合わせることによって構成したもので、前面が開口した箱状を成している。この本体キャビネット１１には、その内部に断熱収容庫１４、内扉３０及び取出室ユニット３２が設けてある。
【００１４】
断熱収容庫１４は、本体キャビネット１１と同様、複数の鋼板を組み合わせることによって前面が開口した箱状に構成したもので、本体キャビネット１１の一側部にユニット装着領域１５を確保する態様で筐体１０の内部に画成してある。この断熱収容庫１４には、各壁に断熱材１４ａが敷設してあり、その内部下方域に冷却ユニット１６が配設してある一方、内部上方域に複数（本実施形態では８つ）のスラントラック２０が配設してある。
【００１５】
冷却ユニット１６は、断熱収容庫１４の内部を所望の冷却温度に維持するためのもので、例えば冷凍サイクルの蒸発器１６ａを断熱収容庫１４の下部に配設することによって構成してある。なお、上記蒸発器１６ａにはファン１６ｂを配設してある。また、冷凍サイクルのその他の構成に関しては、本体キャビネット１１の内部において断熱収容庫１４よりも下方となる機械室１７に配設してある。
【００１６】
スラントラック２０は、一方の端部２０ａから他方の端部２０ｂに向けて下方に傾斜するラック板２０ｃに複数の商品Ｂを収納するものである。本実施の形態では、ユニット装着領域１５に向けて下方に傾斜する複数（本実施形態では８つ）のラック板２０ｃを、上下方向に複数並設することによって複数のスラントラック２０を構成してある。
【００１７】
各スラントラック２０には、他方の端部２０ｂにベンドメック２１がそれぞれ設けてある。ベンドメック２１は、ベースプレート２２に対して出没可能に配設したペダル２１ａ及び補助ペダル２１ｂを備えたものである。
【００１８】
このようなスラントラック２０では、一方の端部２０ａから横倒しの状態で商品Ｂをラック板２０ｃの上面に載置すると、傾斜によって商品Ｂは他方の端部２０ｂに向けて移動し、ベンドメック２１で止まることとなる。同様に、一方の端部２０ａから横倒しの状態で別の商品Ｂをラック板２０ｃの上面に載置すると、傾斜によって別の商品Ｂは他方の端部２０ｂに向けて移動し、上記商品Ｂの斜め上方に積層することとなる。このようにしてスラントラック２０に複数の商品Ｂを収納する。この実施の形態では、１つのスラントラック２０に８本のビン入り商品Ｂを収容することができる。そして、上記ベンドメック２１に販売指令が与えられた場合には、ペダル２１ａ及び補助ペダル２１ｂを適宜駆動し、ラック板２０ｃの上面に載置した商品Ｂを一つずつ払い出す。
【００１９】
断熱収容庫１４において各スラントラック２０を他方の端部２０ｂ側に延長させた部位に位置する壁（以下、「仕切壁」）２４には、図３および図４に示すように、スラントラック２０に対応するよう払出口２５を形成してある。この仕切壁２４にも、断熱材１４ａを敷設してある。
【００２０】
払出口２５は、ベンドメック２１の駆動によってスラントラック２０の他方の端部２０ｂから払い出された商品Ｂを後述する取出室ユニットの取出室に入れるための通過孔である。換言すれば、払出口２５は、スラントラック２０と取出室とを連通させるものである。このような払出口２５には、図３〜図５に示すように、フラッパ２６が設けてある。フラッパ２６は、払出口２５の上縁部に設けた水平軸２６ａを軸心として揺動可能な態様に配設してあり、通常、払出口２５を閉塞する一方、断熱収容庫１４側から商品Ｂが当接した場合には払出口２５を開いて商品Ｂの通過を許容するものである。このフラッパ２６は、商品Ｂが通過した後、払出口２５を閉じ、再び払出口２５を閉塞した状態に維持する。このフラッパ２６には、上述した揺動移動に影響を与えることのない程度に軽量に構成した断熱シート等の断熱材２６ｂが敷設してある。
【００２１】
内扉３０は、図３に示すように、断熱収容庫１４の前面開口を開閉するためのもので、断熱収容庫１４の一側縁部に揺動可能に支承させてある。この内扉３０は、中空の鋼板パネルに断熱材１４ａを充填する等、断熱機能を有するように構成してあり、断熱収容庫１４の前面開口を閉塞した場合にその内部に断熱空間を画成するものである。
【００２２】
取出室ユニット３２は、図６に示すように、２枚で一組の側板（部材）３３ａ，３３ｂと背面板（部材）３３ｃと８枚の底板（部材）３４と天板（部材）３５とカバー部材（部材）４１とで構成してあり、本体キャビネット１１のユニット装着領域１５に配設してある。側板３３ａ，３３ｂおよび底板３４で画成される取出室３７は、上述した払出口２５に対応して個別に設けた空間であり、それぞれの払出口２５を通過した商品Ｂを各別に収納することが可能である。図３に示すように、取出室３７は、その前後方向長さが断熱収容庫１４の前後方向長さよりも長く、底板３４の前縁が断熱収容庫１４の前面開口を閉塞した内扉３０の前面とほぼ一致するように構成してある。
【００２３】
図６に示す側板３３ａ，３３ｂは、上下方向に延在する略矩形状にそれぞれ形成してある。図６中、右側に示す一方の側板３３ａには、仕切壁２４に形成した払出口２５に対応する部位に開口３３ａａを形成してある。これらの側板３３ａ，３３ｂの手前側には、取出室３７の間隔に対応する８つのネジ孔Ｈ１を形成してある。ネジ孔Ｈ１の大きさは、後述する雄ネジ部が挿入できるよう雄ネジ部の太さよりもわずかに大きい。また、一方の側板３３ａと、他方の側板３３ｂとは、図７に示すように、一定の間隔を保つよう平行に配置してある。
【００２４】
背面板３３ｃは、一方の側板３３ａと他方の側板３３ｂとを連結するものであって、上記側板３３ａ，３３ｂの高さとほぼ同一の高さを備える態様で上下方向に延在するよう形成してある。
【００２５】
底板３４は、上記一方の側板３３ａと他方の側板３３ｂとの間に配置することで取出室３７を画成するものであって、図７および図８に示すように、本体部３４０と逃げ部３４１と折返部３４２とリブ部３４３とストッパ部３４４とを備える態様で形成してある。
【００２６】
本体部３４０は、取出室ユニット３２をユニット装着領域１５に配置した状態では、その上面が、後述する商品取出口に向けて下方に傾斜する部分である。この実施の形態で示す本体部３４０は、水平面に対して１０°傾斜している。
【００２７】
逃げ部３４１は、商品がフラッパ２６に当接し、それによりフラッパ２６が回動した場合に、フラッパ２６と底板３４とが接触することを防止する部分である。このような逃げ部３４１は、取出室ユニット３２をユニット装着領域１５に配置した状態では、手前側に向けて漸次幅が広くなる態様で形成してある。しかも、逃げ部３４１は、図５に示すように、右側端部から左側端部に向けて下方に傾斜するものでもある。この実施形態で示す逃げ部３４１は、水平面に対して１０°傾斜している。逃げ部３４１の手前側には、カバー３４５を配設してある。
【００２８】
折返部３４２は、図７および図８に示すように、本体部３４０の手前側に配設してあり、奥側から手前側に向けて上方に傾斜する部分である。本体部３４０と折返部３４２との境界部には、２つの水抜き孔Ｈ３と１つの水抜き孔Ｈ４とが構成されている。水抜き孔Ｈ３は、底板３４の両側部に形成してあり、水抜き孔Ｈ４は、底板３４のほぼ中央に形成してある。これらの水抜き孔Ｈ３，Ｈ４は、底板３４の上に水が貯まることを防止するものである。これらの水抜き孔Ｈ３，Ｈ４によれば、取出室３７に収容した商品Ｂに結露が発生し、その結露によって水滴が生じた場合、水滴が集まって発生した水を下方の取出室３７に向けて順次送り、最下方に配置してある取出室３７から取出室ユニット３２の外部に水を排出することができる。
【００２９】
リブ部３４３は、折返部３４２の両側の縁に沿って、下方に向けて突出するようそれぞれ配設した部分である。このリブ部３４３の手前側には、図６に示すように、ネジ孔Ｈ２を形成してある。このネジ孔Ｈ２の大きさは、後述する雄ネジ部が挿入できるよう雄ネジ部の太さよりもわずかに大きい。
【００３０】
ストッパ部３４４は、図８に示すように、折返部３４２の手前側の縁に沿って、上方に向けて突出するよう配設した部分である。このストッパ部３４４は、後述するように、本体部３４０の傾斜によって手前側に移動してきた商品Ｂを受け止める部分である。
【００３１】
上記のような構成を有する底板３４には、図７および図８に示すように、案内壁３９を配設してあるとともに、カバー部材４１を挿着してある。
【００３２】
案内壁３９は、平板で構成してあって、底板３４の上面に取り付けてある。このような案内壁３９は、第１壁３９ａと第２壁３９ｂとを備えている、第１壁３９ａは、払出口２５に対向するよう図７中、取出室３７の左側に配置される壁である。第１壁３９ａは、手前側に向けて仕切壁２４との間隔が増大するよう傾斜した態様で配置してある。第２壁３９ｂは、取出室３７の奥側に配置される壁である。
【００３３】
カバー部材４１は、弾性を備える合成樹脂材料によって、図９に示すように、本体部４１０と半円筒部４１４とレ字状部４１５とを備えるよう形成してあり、底板３４の前縁に装着してある。
【００３４】
本体部４１０は、底板３４のストッパ部３４４の幅よりもわずかに狭い幅を有する矩形平板状に形成した部分である。このような本体部４１０には、上部に２つの突出部４１１，４１２を配設してあるとともに、下部に収容部４１３を形成してある。
【００３５】
一方の突出部４１１は、本体部４１０の奥側端縁に沿う態様で、本体部４１０の上面から突出するよう形成した部分である。一方の突出部４１１の左右方向の長さは、ストッパ部３４４の左右方向の長さよりもわずかに短い。
【００３６】
他方の突出部４１２は、本体部４１０の上面の前後方向のほぼ中央に位置する部位において、一方の突出部４１１と平行となるよう本体部４１０の上面から突出するよう形成した部分である。他方の突出部４１２の左右方向の長さは、ストッパ部３４４の左右方向の長さよりもわずかに短い。
【００３７】
収容部４１３は、円筒状を成す態様で形成した部分であって、その内部の中空となる部分に、後述するネジの雄ネジ部を収容するものである。収容部４１３の中空となる部分の内径は、後述する雄ネジ部が挿入できるよう雄ネジ部の太さよりもわずかに大きい。収容部４１３の左右方向の長さは、ストッパ部３４４の左右方向の長さよりもわずかに短い。このような収容部の内側端部には、雄ネジ部と螺合する雌ネジ部４１３ａを形成してある。
【００３８】
半円筒部４１４は、本体部４１０の手前側に配設した部分であって、横断面が半円筒状を成すよう形成してあり、ストッパ部３４４の手前側を覆う部分である。半円筒部４１４の左右方向の長さは、ストッパ部３４４の左右方向の長さよりもわずかに長い。
【００３９】
レ字状部４１５は、半円筒部４１４の上端部から取出室３７の奥側に向かって突出する連結部４１５ａと、連結部４１５ａの下端部から手前側に向かって突出する突出部４１５ｂとを備えており、連結部４１５ａと突出部４１５ｂとがレ字状を成すよう形成してあり、ストッパ部３４４の奥側を覆う部分である。レ字状部４１５の左右方向の長さは、ストッパ部３４４の左右方向の長さよりもわずかに長い。上記突出部４１５ｂは、上記本体部４１０と対向する。
【００４０】
カバー部材４１は、本体部４１０と半円筒部４１４とレ字状部４１５とで形成される挿着空間ＳＰ１を備えている。このように構成してあるカバー部材４１を底板３４に挿着する場合には、半円筒部４１４から突出部４１５ｂが離れるようレ字状部４１５を折り曲げてから、挿着空間ＳＰ１に底板３４のストッパ部３４４を入れ、２つの突出部４１１，４１２と半円筒部４１４と突出部４１５ｂとで底板３４のストッパ部３４４および折返部３４２の先端を挟み込む。
【００４１】
また、このような取出室ユニット３２には、図６に示すように、一方の側板３３ａと底板３４とカバー部材４１とを連結するネジＢＬ１を配設してあるとともに、他方の側板３３ａと底板３４とカバー部材４１とを連結するネジＢＬ２を配設してある。ネジＢＬ１は、頭部ＢＬ１ａと雄ネジ部（先端部）ＢＬ１ｂとを備えており、ネジＢＬ２は、頭部ＢＬ２ａと雄ネジ部（先端部）ＢＬ２ｂとを備えている。
【００４２】
そして、一方の側板３３ａと底板３４とカバー部材４１とを連結する場合、側板３３ａのネジ孔Ｈ１と、底板３４のネジ孔Ｈ２と、カバー部材４１の収容部４１３の中空となる部分とを合致させてから、雄ネジ部ＢＬ１ｂの先端を、ネジ孔Ｈ１に挿入し、その後、ネジ孔Ｈ２に挿入してから、収容部４１３に入れる。その後、雌ネジ部４１３ａと雄ネジ部ＢＬ１ｂとを螺合する。このように一方の側板３３ａと底板３４とカバー部材４１とを連結すれば、雄ネジ部ＢＬ１ｂが収容部４１３で覆われることとなる。
【００４３】
他方の側板３３ｂと底板３４とカバー部材４１とを連結する場合、側板３３ｂのネジ孔Ｈ１と、底板３４のネジ孔Ｈ２と、カバー部材４１の収容部４１３の中空となる部分とを合致させてから、雄ネジ部ＢＬ２ｂの先端を、ネジ孔Ｈ１に挿入してから、ネジ孔Ｈ２に挿入し、その後、収容部４１３に入れる。その後、雌ネジ部４１３ａと雄ネジ部ＢＬ２ｂとを螺合する。このように他方の側板３３ｂと底板３４とカバー部材４１とを連結すれば、雄ネジ部ＢＬ２ｂが収容部４１３で覆われることとなる。なお、底板３４には不図示のリブ部を配設してあり、そのリブ部と側板３３ａ，３３ｂとをそれぞれ連結してある。
【００４４】
このような底板３４を側板３３ａ，３３ｂの間に上下方向に等間隔で配設することで複数の取出室３７が上下方向に並設させることとなる。底板３４は取出室３７の底を構成する部材であるとともに、下方の取出室３７の天井を構成する部材でもある。
【００４５】
天板３５は、図６に示すように、最上方に配設した取出室３７の天井を構成する部材であって、一方の側板３３ａと他方の側板３３ｂとの間に配置してある。
【００４６】
外扉１２は、図３に示すように、本体キャビネット１１の開口を覆うのに十分な大きさを有したもので、鋼材により堅牢に構成してある。外扉２は、自身の一側縁部が図３に示すヒンジ軸６７を介して本体キャビネット１１の一側縁部に支承して設けてある。換言すれば、外扉１２は、ヒンジ軸６７を介して本体キャビネット１１に対して回動可能に支承してあり、その回動によって本体キャビネット１１の開口を開閉する。
【００４７】
外扉１２には、図１に示すように、その前面に紙幣挿通口５０、硬貨投入口５１、返却レバー５２、硬貨返却口５３、表示器５４、商品案内板５５、商品選択ボタン５６、電照板５７、および栓抜５８を配設してあるとともに、商品取出口５９を形成してある。
【００４８】
紙幣挿通口５０は、利用者が紙幣を挿入するための開口である。この紙幣挿通口５０を通じて挿入された紙幣は、図示せぬ紙幣処理装置において適宜処理されることになる。なお、この紙幣挿通口５０は、利用者に対して紙幣を返却する際の紙幣返却口としても機能する。硬貨投入口５１は、利用者が硬貨を投入するための開口である。この硬貨投入口５１を通じて投入された硬貨は、図示せぬ硬貨処理装置において適宜処理されることになる。返却レバー５２は、紙幣挿通口５０から挿入した紙幣、あるいは硬貨投入口５１から投入した硬貨を返却する場合に操作するものであり、硬貨投入口５１の近傍に配設してある。硬貨返却口５３は、利用者に対して硬貨を返却するための開口であり、硬貨投入口５１よりも下方となる位置に設けてある。表示器５４は、貨幣の入金額、商品の販売中であるか否か、釣り銭があるか否か等々、商品を販売する上で必要となる各種情報を外部に表示するためのものであり、例えば液晶表示器によって構成してある。商品案内板５５は、利用者に対して商品を案内するためのものである。このような商品案内板５５は、上述したスラントラック２０に対応するよう配設してあり、本実施の形態では上下方向に並べて８つ設けてある。商品選択ボタン５６は、利用者が商品を選択するための押ボタンスイッチである。このような商品選択ボタン５６は、上述したスラントラック２０に対応するよう配設してあり、本実施の形態では上下方向に並べて８つ設けてある。電照板５７は、その表面に広告等を貼附してあり、外扉１２の内側に配設した蛍光灯の照明光によって広告を視認させるためのものである。栓抜５８は、ビン入り飲料である商品Ｂの栓を外すためのものである。商品取出口５９は、利用者が購入した商品を受け取るための開口である。商品取出口５９は、図１に示すように、中央より左側に形成してあり、図１および３に示すように、８つの取出室３７に通じるよう左右方向の長さに比して上下方向の長さが長い矩形状に形成してある。
【００４９】
このような外扉１２には、商品取出口５９を開閉する小扉６５を配設してある。小扉６５は、その一側縁部をヒンジ６８を介して外扉１２に取り付けてあって、常に閉塞方向に付勢してある。このような小扉６５には、取出室３７の内部を視認することができるようガラス等の透明部材６６を配設してある。
【００５０】
このような自動販売機において、利用者が硬貨投入口５１に硬貨を投入、または紙幣挿通口５０に紙幣を挿通し、且つ商品選択ボタン５６を押下操作した場合には、その押下操作に対応するスラントラック２０のベンドメック２１に販売指令が与えられることとなる。販売指令が与えられたベンドメック２１は、ペダル２１ａおよび補助ペダル２１ｂを適宜駆動し、ラック板２０ｃの上面に載置した商品Ｂを一つ取出室３７に払い出す。
【００５１】
取出室３７に払い出された商品Ｂは、払い出された勢いによって図７に示す取出室３７の右側から左側に向けて移動した後、案内壁３９の第１壁３９ａに当接する。そして、傾斜した第１壁３９ａに当接することで、商品Ｂは、手前側へ向けて移動方向が変化する。しかも、商品Ｂは、底板３４の傾斜する本体部３４０により、重力の作用で、取出室３７の奥側から手前側に移動することとなる。その後、商品Ｂは、図１０に示すように、底板３４のストッパ部３４４に当接することで、取出室３７の手前側で停止する。この状態で、利用者が小扉６５を開き、商品取出室３７の手前側にある商品Ｂを取り出す。
【００５２】
この自動販売機によれば、スラントラック２０を断熱収容庫１４の内部に配置する一方、取出室３７を断熱収容庫１４の外部に構成するため、取出室３７の内部と筐体１０の外部との間で小扉６５に結露が発生するような温度差が生じることがない。よって、小扉６５に結露が発生することを防止することができる。しかも、底板３４によって、スラントラック２０の他方の端部２０ｂから商品Ｂが払い出された場合には、重力の作用によって商品Ｂが商品取出口５９に向けて移動することとなる。よって、商品取出口５９の奥側に手を突っ込んで商品Ｂを掴み、商品Ｂを引き出す必要がない。従って、商品Ｂの取り出しが容易な自動販売機を提供することができる。加えて、商品Ｂを底板３４の傾斜によって取出室３７の手前側に移動する。すなわち、取出室３７の奥側から手前側に商品Ｂを移動させるために重力を利用し、電気等の動力を必要としない。さらに、商品Ｂを取出室３７の手前側に移動させるため、商品Ｂの視認性を向上することができる。また、底板３４には、奥側から手前側に向けて上方に傾斜する折返部３４２を配設してあるため、奥側から手前側に向けて下方に傾斜する本体部３４０を延長させた場合に比し、ストッパ部３４４の突出高さを低くすることができる。従って、部品コストが安価な自動販売機を提供することができる。
【００５３】
しかも、雄ネジ部ＢＬ１ｂ，ＢＬ２ｂを収容する収容部４１３を有するカバー部材４１を配設したため、商品取出口５９から取出室３７の内部に手を入れても、ケガをすることがない。もちろん、カバー部材４１を配設してあるため、底板３４の前縁部に手が当たることで、ケガをすることもない。しかも、ネジＢＬ１，ＢＬ２によって、側板３３ａ，３３ｂと底板３４とカバー部材４１とを連結してあるため、カバー部材４１が脱落することを防止することができる。
【図面の簡単な説明】
【００５４】
【図１】この発明にかかる自動販売機の正面図である。
【図２】図１に示した自動販売機の内部構造を示す正面図である。
【図３】図１に示した自動販売機の内部構造を示す平面図である。
【図４】図１に示した自動販売機が備える仕切壁を示す斜視図である。
【図５】図４に示した仕切壁の断面図である。
【図６】図１に示した自動販売機が備える取出室ユニットを示す斜視図である。
【図７】図６に示した取出室ユニットに画成した取出室を示す平面図である。
【図８】図６に示した取出室ユニットが備える底板を示す側面図である。
【図９】図６に示した取出室ユニットが備えるカバー部材の横断面図である。
【図１０】図８に示した底板による作用を示す説明図である。
【符号の説明】
【００５５】
１０    筐体
１４    断熱収容庫
２０    スラントラック
２０ａ    一方の端部
２０ｂ    他方の端部
２０ｃ    ラック板
２４    仕切壁（壁）
２５    払出口
３３ａ    側板（部材）
３３ｂ    側板（部材）
３３ｃ    背面板（部材）
３４    底板（部材）
３５    天板（部材）
３７    取出室
４１    カバー部材（部材）
５９    商品取出口
４１３    収容部
ＢＬ１    ネジ（連結具）
ＢＬ１ａ    雄ネジ部（先端部）
ＢＬ２    ネジ（連結具）
ＢＬ２ａ    雄ネジ部（先端部）
【図１】
0004706538.tif 000002
【図２】
0004706538.tif 000003
【図３】
0004706538.tif 000004
【図４】
0004706538.tif 000005
【図５】
0004706538.tif 000006
【図６】
0004706538.tif 000007
【図７】
0004706538.tif 000008
【図８】
0004706538.tif 000009
【図９】
0004706538.tif 000010
【図１０】
0004706538.tif 000011